(57)【特許請求の範囲】
【請求項１】
互いに区別された複数の収納箇所に各々、ディスクを収納する収納手段と、挿入指示、排出指示に従い収納手段の所望の収納箇所に収納するためのディスクを装置内に挿入したり、収納手段の所望の収納箇所に収納されていたディスクを装置外に排出する挿入・排出手段を備え、再生指示に従い収納手段から再生が指示されたディスクをディスクチェンジャー部がディスク再生メカ部に取り出し、該ディスク再生メカ部と信号処理部によりディスクを再生するようにしたディスク再生装置において、
１又は複数の使用者の識別情報と使用者の用いる収納手段の収納箇所を対応付けて設定する設定手段と、
使用時に入力される使用者識別情報と収納手段の収納箇所を、設定手段に設定された内容と照合して一致するか判定する照合手段と、
照合手段で一致すると判定されていない場合、設定手段で使用者識別情報が対応付けて設定されている収納手段の収納箇所を対象とした挿入・排出手段による挿入動作及び排出動作と、設定手段で使用者識別情報が対応付けて設定されている収納手段の収納箇所のディスクの再生を禁止する禁止手段と、
を備えたことを特徴とするディスク再生装置。
【請求項２】
互いに区別された複数の収納箇所にディスクを収納し、前記複数の収納箇所は１又は複数ずつ収納エリアにグループ分けされた収納手段と、挿入指示、排出指示に従い収納手段の所望の収納エリアに収納するためのディスクを装置内に挿入したり、収納手段の所望の収納エリアに収納されていたディスクを装置外に排出する排出手段を備え、再生指示に従い収納手段から再生が指示されたディスクをディスクチェンジャー部がディスク再生メカ部に取り出し、該ディスク再生メカ部と信号処理部によりディスクを再生するようにしたディスク再生装置において、
１又は複数の使用者の識別情報と使用者の用いる収納手段の収納エリアを対応付けて設定する設定手段と、
使用時に入力される使用者識別情報と収納手段の収納箇所を、設定手段に設定された内容を照合して一致するか判定する照合手段と、
照合手段で一致すると判定されていない場合、設定手段で使用者識別情報が対応付けて設定されている収納手段の収納エリアを対象とした挿入・排出手段による挿入動作及び排出動作と、設定手段で使用者識別情報が対応付けて設定されている収納エリアのディスクの再生を禁止する禁止手段と、を備えたことを特徴とするディスク再生装置。
【発明の詳細な説明】
【０００１】
【産業上の利用分野】
本発明はディスク再生装置に係り、とくにディスクの勝手な挿入、取り出しを防止するようにしたディスク再生装置に関する。
【０００２】
【従来の技術】
ディスク再生装置は映像、音声、テキストなどの情報を単独または組み合わせて記録したＣＤ（ＣＤ−ＤＡ）、ビデオＣＤ、ＣＤ−ＲＯＭなどのディスクを再生するものであり、ディスクの保管や交換を容易とするため、多数枚のディスクを装置内の収納部に収納しておき、使用者の選択したディスクを収納部から取り出し、ディスク再生部にセットして再生するようにしたものもある。
【０００３】
【発明が解決しようとする課題】
ところで、家庭の居間などディスク再生装置の設置場所によっては１台のディスク再生装置を複数人が使用可能な場合がある。映像を記録したディスクには暴力シーン、残酷シーンなどの如く、一定年齢以上でなければ鑑賞に適さないものがあり、これらのディスクは厳重に管理しないと、年齢制限の有るディスクを鑑賞に適さない者が勝手にディスク再生装置に入れて再生してしまう。
この点につき、ディスク再生装置の中には、特定の使用者の再生指示しか受け付けないプロテクト機能を付けたものが有るが、特定の使用者がディスク再生装置内にディスクを入れたままにして場所を離れたとき、鑑賞に適さない者が勝手に取り出して他へ持ち出し、プロテクト機能の無い他のディスク再生装置で再生してしまう。また、プロテクト機能は特定の使用者が登録したディスクに対してのみ働くため、他から持ち込んだ年齢制限の有るディスクに対してプロテクト機能を発揮することができない。
【０００４】
また、ディスク再生装置を店頭販売するため、ディスク再生装置に入れられたデモンストレーション用のディスクを顧客が自由に再生できる場合、顧客がディスクを取り出して持ち帰ってしまうと、販売促進効果を発揮できない。逆に、顧客が勝手に暴力シーン、残酷シーンなどのあるディスクをディスク再生装置に入れると、他の顧客が再生したときびっくりしてしまう。
また、多数枚のディスクの収納部を有するディスク再生装置では、ディスクの所有者が収納部の一定箇所に自分のディスクを収納して管理することがあるが、他の人が外が勝手にディスクを装置に入れたり、出したりすると自分のディスクを収納できなくなったり、行方が判らなくなってしまうことがある。
本発明は上記した従来技術の問題に鑑み、ディスクを勝手に装置に入れたり、装置から出したりするのを防止できるディスク再生装置を提供することを目的とする。
【０００５】
【課題を解決するための手段】
本発明に係るディスク再生装置では、互いに区別された複数の収納箇所に各々、ディスクを収納する収納手段と、挿入指示、排出指示に従い収納手段の所望の収納箇所に収納するためのディスクを装置内に挿入したり、収納手段の所望の収納箇所に収納されていたディスクを装置外に排出する挿入・排出手段を備え、再生指示に従い収納手段から再生が指示されたディスクをディスクチェンジャー部がディスク再生メカ部に取り出し、該ディスク再生メカ部と信号処理部によりディスクを再生するようにしたディスク再生装置において、１又は複数の使用者の識別情報と使用者の用いる収納手段の収納箇所を対応付けて設定する設定手段と、使用時に入力される使用者識別情報と収納手段の収納箇所を、設定手段に設定された内容と照合して一致するか判定する照合手段と、照合手段で一致すると判定されていない場合、設定手段で使用者識別情報が対応付けて設定されている収納手段の収納箇所を対象とした挿入・排出手段による挿入動作及び排出動作と、設定手段で使用者識別情報が対応付けて設定されている収納手段の収納箇所のディスクの再生を禁止する禁止手段と、を備えたことを特徴としている。
【０００７】
本発明に係る他のディスク再生装置では、互いに区別された複数の収納箇所にディスクを収納し、前記複数の収納箇所は１又は複数ずつ収納エリアにグループ分けされた収納手段と、挿入指示、排出指示に従い収納手段の所望の収納エリアに収納するためのディスクを装置内に挿入したり、収納手段の所望の収納エリアに収納されていたディスクを装置外に排出する排出手段を備え、再生指示に従い収納手段から再生が指示されたディスクをディスクチェンジャー部がディスク再生メカ部に取り出し、該ディスク再生メカ部と信号処理部によりディスクを再生するようにしたディスク再生装置において、１又は複数の使用者の識別情報と使用者の用いる収納手段の収納エリアを対応付けて設定する設定手段と、使用時に入力される使用者識別情報と収納手段の収納箇所を、設定手段に設定された内容を照合して一致するか判定する照合手段と、照合手段で一致すると判定されていない場合、設定手段で使用者識別情報が対応付けて設定されている収納手段の収納エリアを対象とした挿入・排出手段による挿入動作及び排出動作と、設定手段で使用者識別情報が対応付けて設定されている収納エリアのディスクの再生を禁止する禁止手段と、を備えたことを特徴としている。
【０００９】
【作用】
本発明に係るディスク再生装置によれば、互いに区別された複数の収納箇所に各々、ディスクを収納する収納手段と、挿入指示、排出指示に従い収納手段の所望の収納箇所に収納するためのディスクを装置内に挿入したり、収納手段の所望の収納箇所に収納されていたディスクを装置外に排出する挿入・排出手段を備え、再生指示に従い収納手段から再生が指示されたディスクをディスクチェンジャー部がディスク再生メカ部に取り出し、該ディスク再生メカ部と信号処理部によりディスクを再生するようにしたディスク再生装置において、予め、１又は複数の使用者の識別情報と使用者の用いる収納手段の収納箇所を対応付けて設定しておき、使用時に入力される使用者識別情報と収納手段の収納箇所を、予め設定された内容と照合して一致するか判定し、一致すると判定されていない場合、予め使用者識別情報が対応付けて設定されている収納手段の収納箇所を対象とした挿入・排出手段による挿入動作及び排出動作と、設定手段で使用者識別情報が対応付けて設定されている収納手段の収納箇所のディスクの再生を禁止する。これにより、収納手段の任意の一部または全部の収納箇所につき、特定の使用者だけがディスクを収納して判り易く管理することができ、また、一定以上の年齢でないと適さない映像が記録されたディスクを勝手に鑑賞されないようにしたり、行方が判らなくなったりしないようにできる。
【００１１】
本発明に係る他のディスク再生装置によれば、互いに区別された複数の収納箇所にディスクを収納し、前記複数の収納箇所は１又は複数ずつ収納エリアにグループ分けされた収納手段と、挿入指示、排出指示に従い収納手段の所望の収納エリアに収納するためのディスクを装置内に挿入したり、収納手段の所望の収納エリアに収納されていたディスクを装置外に排出する排出手段を備え、再生指示に従い収納手段から再生が指示されたディスクをディスクチェンジャー部がディスク再生メカ部に取り出し、該ディスク再生メカ部と信号処理部によりディスクを再生するようにしたディスク再生装置において、予め、１又は複数の使用者の識別情報と使用者の用いる収納手段の収納エリアを対応付けて設定しておき、使用時に入力される使用者識別情報と収納手段の収納箇所を、予め設定された内容と照合して一致するか判定し、一致すると判定されていない場合、予め使用者識別情報が対応付けて設定されている収納手段の収納エリアを対象とした挿入・排出手段による挿入動作及び排出動作と、設定手段で使用者識別情報が対応付けて設定されている収納手段の収納エリアのディスクの再生を禁止する。これにより、収納手段の任意の一部または全部の収納エリアにつき、特定の使用者だけがディスクを収納して判り易く管理することができ、また、一定以上の年齢でないと適さない映像が記録されたディスクを勝手に鑑賞されないようにしたり、行方が判らなくなったりしないようにできる。
【００１３】
【実施例】
図１は本発明の基となるディスク再生装置の回路図である。このディスク再生装置はＣＤ−ＤＡ、ビデオＣＤ、ＣＤ−ＲＯＭなど、多種類のディスクの再生が可能である。
１はディスク、２は２０枚のディスク１を収納できるディスク収納部であり、１枚ずつトレイ（図示せず）に収納される。ディスク収納部２のトレイは一番下から順にトレイＮＯ１〜トレイＮＯ２０までの番号で区別されている。３はスピンドルモータ、光ピックアップ、送りモータ、ＲＦアンプ、サーボ回路などを含み、ディスク１からＲＦ信号を再生するディスク再生メカ部、４はディスクチェンジャー部であり、ディスク再生メカ部３を搭載し、ディスク再生メカ部３とディスク収納部２との間でトレイに乗せたディスク１の交換をしたり、装置ケースに設けたディスク挿入口（図２の符号２１参照）とディスク再生メカ部３との間でトレイに乗せたディスクの挿入（ローディング）、排出（イジェクト）を行ったりする。
【００１４】
５は信号処理回路であり、ディスク再生メカ部３からＲＦ信号を入力し、所定の信号処理を施して音声信号、または音声信号と映像信号を出力したり、サブコード情報（ＣＤ−ＤＡ、ビデオＣＤ、ＣＤ−ＲＯＭなどのＱチャンネル等）、ヘッダー情報、トラック中のディスク管理情報（ビデオＣＤのトラック０１のビデオＣＤインフォメーション等）など各種制御情報を出力したりする。６はマイク、７はマイコン構成の音声認識部であり、マイク６で入力された音声の認識を行い、使用者識別情報の設定をしたり、使用時に使用者識別情報がマイク入力されると予め設定された使用者識別情報と照合して一致するか判定し、一致するとき一致信号を出力し、また、使用時にマイク入力された動作指示を判別して判別内容を出力したりする。８は使用者識別情報を設定する際に押圧する登録キーである。
【００１５】
音声認識部７の内、９はマイク入力をＡ／Ｄ変換するＡ／Ｄ変換器、１０はＡ／Ｄ変換後の音声信号から音声の特徴パラメータを抽出する特徴抽出部、１１は音声入力された音声の特徴パラメータを使用者識別情報として記憶する記憶部であり、図３に示す如く、第１〜第ｎの記憶領域別に、ｎ人分の使用者識別情報（特徴パラメータ）を区別して記憶できる。１２は登録キー８が押圧されている間に特徴抽出部１０で抽出された特徴パラメータを記憶部１１に使用者別に登録設定する登録部、１３は装置の通常の使用時（登録キーが押圧されていないとき）にマイク入力されたときの特徴抽出部１０の出力を記憶部１１に記憶された設定内容と照合して一致するとき一致信号を出力する照合部、１４は装置の通常の使用時（登録キーが押圧されていないとき）にマイク入力されたときの特徴抽出部１０の出力に基づき、動作指示を判別して判別結果を出力する判別部である。
照合部１３は特徴パラメータが記憶部１１に登録設定された人のものと一致しないと一致信号を出力しないが、判別部１４は任意の人の音声につき、入力内容の判別を行う。
【００１６】
１５は装置全体の制御を司るシステムコントローラであり、音声認識部７からの入力に基づき、ディスクチェンジャー部４を制御してディスク収納部２とディスク再生メカ部３との間でディスク交換させたり、ディスク再生メカ部３とディスク挿入口２１との間でディスクの挿入、排出を行わせたり、ディスク再生メカ部２を制御してディスク１の記録信号の検出、サーチ等を行わせたり、信号処理回路５を制御して音声信号、音声信号と映像信号の再生出力を行わせたり、サブコード情報、ヘッダ情報、トラック中のディスク管理情報などの各種制御情報を読み取らせたりする。
システムコントローラ１５は制御情報を参照して、ディスク１の種類に応じた信号処理動作を行わせる。また、音声認識部７の照合部１３から一致信号を入力した場合だけ、判別部１４で判別された動作指示に基づく制御を行い、一致信号を入力していない場合に判別部１４から動作指示を受けたときはＮＧ表示器１６を一定時間点滅させる。
【００１７】
図２はディスク再生装置の外観図であり、装置ケース２０の前面にディスク挿入口２１、ＮＧ表示器１６、マイク６、電源スイッチ等が設けられている。装置ケース２０の左下部には扉２３が設けられており、扉２３の内部に登録キー８が設置されている。扉２３はキーシリンダ２４にキーを差し入れ、回すことで開閉とロックを行うことができ、閉じてキーを抜けば、キーの所有者以外、登録キー８を操作できないようになっている。図１中のディスク収納部２は装置ケース２０の中に設けられており、外部との間ではディスク挿入口２１を介してしかディスク１を収納したり、取り出したりすることができない。
【００１８】
次に図１のディスク再生装置の動作を説明する。
父Ａ，母Ｂの２人がディスク再生装置を動作可能とし、他の子供Ｃは年齢が若いため動作不能としたい場合、扉２３を開け、電源オン状態で、Ａが登録キー８を押しながら自身の使用者識別情報として例えば、「おとうさん」とマイク６に向かって音声入力すると、特徴抽出部１０が特徴パラメータを抽出し、登録部１２が記憶部１１の第１記憶領域に記憶させる。同様に、Ｂが登録キー８を押しながら例えば、「おかあさん」と音声入力すると、特徴パラメータを第２記憶領域に記憶させる。このあと、扉２３を閉め、鍵をかけておけば、子供Ｃは使用者識別情報を設定することができない。記憶部１１に設定された使用者識別情報を図３に示す。
【００１９】
ディスク収納部２が空の状態で、ＡがトレイＮＯ１〜１０に好みのディスク１を収納させたい場合、まず、使用者識別情報として「おとうさん」と音声入力したあと、「トレイ１」、「排出」と音声入力する（このとき、登録キー８は押さない）。音声入力があると特徴抽出部１０が特徴パラメータを抽出し、照合部１３と判別部１４に出力する。照合部１３は記憶部１１の中に一致するものがあるか判別する。照合部１３は特徴パラメータを入力すると、記憶部１１に一つも使用者識別情報としての特徴パラメータが無い場合、または、一致する特徴パラメータが有る場合に、一定時間、一致信号を出力する。ここでは、「おとうさん」の特徴パラメータが第１記憶領域のものと一致するので一致信号をシステムコントローラ１５に出力し、また、判別部１４は「トレイ１」、「排出」の特徴パラメータからディスク収納部２のトレイＮＯ１のトレイの排出指示と判別して、判別結果をシステムコントローラ１５に出力する。
【００２０】
一致信号を入力したシステムコントローラ１５は判別部１４から入力した動作指示に従い、ディスクチェンジャー部４を制御し、ディスク収納部２からトレイＮＯ１のトレイをディスク再生メカ部３を経由してディスク挿入口２１まで排出させる。排出されたトレイにＡが好みのディスク１を乗せたあと、「おとうさん」、「トレイ１」、「挿入」と音声入力すると、照合部１３が一致信号を出力するとともに判別部１４がトレイＮＯ１への挿入指示との判別結果を出力する。システムコントローラ１５はディスクチェンジャー部４を制御し、ディスク挿入口２１からディスク再生メカ部３に挿入させ、かつ、ディスク収納部２のトレイＮＯ１に収納させる。同様にして、トレイＮＯ２〜１０についても、各々、Ａの好みのディスク１を収納させることができる。
【００２１】
ＢがトレイＮＯ１１〜２０に好みのディスク１を収納させたい場合も、使用者識別情報として「おかあさん」と音声入力したあと、「トレイ１１」、「排出」と音声入力する。音声入力があると特徴抽出部１０が特徴パラメータを抽出し、照合部１３は記憶部１１の第２記憶領域に一致するものがあるので一致信号をシステムコントローラ１５に出力し、また、判別部１４はディスク収納部２のトレイＮＯ１１のトレイの排出指示との判別結果を出力する。よって、システムコントローラ１５はディスクチェンジャー部４を制御し、ディスク収納部２からトレイＮＯ１１のトレイをディスク再生メカ部３を経由してディスク挿入口２１まで排出させる。排出されたトレイにＢが好みのディスク１を乗せたあと、「おかあさん」、「トレイ１１」、「挿入」と音声入力すると、照合部１３が一致信号を出力するとともに判別部１４がトレイＮＯ１１のトレイの挿入指示との判別結果を出力する。システムコントローラ１５はディスクチェンジャー部４を制御し、ディスク挿入口２１からディスク再生メカ部３に挿入させ、かつ、ディスク収納部２のトレイＮＯ１に収納させる。同様にして、トレイＮＯ１２〜２０についても、各々、Ｂの好みのディスク１を収納させることができる。
【００２２】
このあと、Ａがディスク収納部２の内、任意のトレイＮＯｉのディスク１を再生したい場合、「おとうさん」、「トレイｉ」、「再生」と音声入力すると、音声認識部７から一致信号及びトレイＮＯｉの再生指示が出力され、システムコントローラ１５はディスクチェンジャー部４を制御し、ディスク収納部２からトレイＮＯｉのトレイに乗ったディスク１をディスク再生メカ部３に取り出させ、ディスク再生メカ部３と信号処理部５を制御して再生させる。再生するディスク１が例えば、ＣＤ−ＤＡであれば信号処理回路５から音声信号だけ出力され、ビデオＣＤであれば音声信号と映像信号が出力される。
同様に、Ｂが「おかあさん」、「トレイｊ」、「再生」と音声入力したときも、トレイＮＯｊのトレイに乗ったディスク１を再生させる。
【００２３】
Ａがディスク収納部２の内、任意のトレイＮＯｋのディスク１を外部に取り出したい場合、「おとうさん」、「トレイｋ」、「排出」と音声入力すると、音声認識部７から一致信号及びトレイＮＯｋの排出指示が出力され、システムコントローラ１５はディスクチェンジャー部４を制御し、ディスク収納部２からトレイＮＯｋのトレイに乗ったディスク１をディスク再生メカ部３を経由してディスク挿入口２１に排出させるので、トレイＮＯｋのディスク１を取り出すことができる。
【００２４】
ここで、ＡがトレイＮＯｋのディスク１を取り出したまま装置から離れている間に、子供Ｃが暴力シーン、残酷シーン等、鑑賞に適さないディスク１を再生するため、トレイに当該ディスク１を乗せ、「トレイｋ」、「挿入」と音声入力したとき、音声認識部７の照合部１３は一致信号を出力せず、判別部１４だけトレイＮＯｋへ挿入との判別結果を出力する。このとき、システムコントローラ１５は照合部１３からの一致信号入力がないとき、判別部１４からの動作指示は無視することで、ディスクチェンジャー部４による挿入動作を禁止する。そして、一定時間、ＮＧ表示器１６を点滅させてＣに挿入が禁止している旨、警告する。
【００２５】
この結果、Ｃは鑑賞に適さないディスク１を装置に入れて再生させることができない。なお、Ｃがたとえ、「おとうさん」（または「おかあさん」）、「トレイｋ」、「挿入」（または「再生」）と音声入力したとしても、ＣとＡ（またはＢ）では「おとうさん」（または「おかあさん」）の特徴パラメータが異なり、照合部１３は一致信号を出力しないので、判別部１４からトレイＮＯｍからの排出指示（または再生指示）を受けてもシテムコントローラ１５は無視し、ＮＧ表示器１６を点滅させる。よって、ＣはトレイＮＯｍのディスク１を再生させたり、外部に取り出して他のディスク再生装置で鑑賞したりできない。
【００２６】
図１のディスク再生装置によれば、ディスク１の挿入、排出、再生等は予め、使用者識別情報の設定してある特定の使用者だけ行えるので、他の者が勝手にディスク１を装置に挿入したり、排出したり、再生したりできず、暴力シーン、残酷シーンなど一定以上の年齢でなければ鑑賞に適さない映像の含まれているディスク１を一定以下の年齢の者が見られないようにでき、また、ディスク収納部２に特定の使用者が知らない間に勝手に他のディスク１が収納されたり、取り出されたりするのを防止できるので、ディスク管理を確実に行える。
【００２７】
なお、図１のディスク再生装置では、使用者識別情報の設定してある特定の使用者以外は、ディスク１の挿入、排出のほか再生等、他の動作もできないようにしたが、店頭で販売促進する場合、ディスク１の挿入、排出だけできないようにして、再生は顧客が自由にできるようにしても良い。
また、使用者識別情報を設定していない者でも、例えば、トレイＮＯ１６〜２０を対象とするディスク１の挿入、排出、再生等、全ての動作について、システムコントローラ１５が判別部１４で判別された動作指示に従い、所定の制御動作を行うようにしても良い。このようにすれば、トレイＮＯ１〜１５については使用者識別情報の設定してある特定の使用者だけが好みのディスク１を収納して管理することができ、また、トレイＮＯ１〜１５に子供の鑑賞に適さない映像の含まれたディスクを収納しておくことで、一定年齢以下の子供が勝手に再生したり、取り出して他のディスク再生装置で鑑賞するのを防止することができる。しかも、ＣＤ−ＤＡ、アニメーション映像など一定年齢以下が鑑賞しても特に支障のないディスク１については子供がトレイＮＯ１６〜２０に自由に収納して再生でき、家族全体でディスク再生装置を共用できるので便利である。
【００２８】
更に、使用者識別情報を設定していない者でも、ディスク１が映像の記録されていないＣＤ−ＤＡなどの場合、誰でも自由にディスク収納部２に挿入、排出、再生等を行えるようにしても良い。例えば、ＣＤ−ＤＡ以外は使用者識別情報の設定されている者だけの動作指示を許可する場合、システムコントローラ１５の内蔵メモリ（図示せず）に図４に示す如く、トレイＮＯ別にＣＤ−ＤＡか否かを管理する管理領域を設けておく。そして、音声認識部７の判別部１４からトレイＮＯａの指定を含む挿入指示を受けたとき、システムコントローラ１５は照合部１４から一致信号入力が有るか無いかに関わらず、ディスクチェンジャー部４にディスク挿入口２１からトレイに乗せられたディスク１をディスク再生メカ部３まで挿入させる。
【００２９】
次に、ディスク再生メカ部３と信号処理回路５によりリードインのＴＯＣ情報を読み取らせる。そして、ＴＯＣのＰＯＩＮＴ  Ａ０のＰｓｅｃを解読する。これが“＄００”であればＣＤ−ＤＡなので（因みにビデオＣＤでは“＄２０”）、図４の管理領域に、今回指示されたトレイＮＯａのディスクがＣＤ−ＤＡであることを登録する。このあと、ディスクチェンジャー部４によりディスク収納部２のトレイＮＯａに収納させる。
若し、ＣＤ−ＤＡでなかった場合、照合部１４から一致信号を入力していなかったときは、挿入指示を無視し、ディスクチェンジャー部４によりディスク１を排出させ、一定年齢以下の者が鑑賞に適さない映像の記録された可能性の有るディスク１を勝手に挿入するのを防止する。予め、使用者識別情報を設定した者が使用者識別情報を音声入力したため照合部１３から一致信号を入力していたときは、図４の管理領域に「−」を登録したあとディスク収納部２に収納させる。
【００３０】
一方、音声認識部７の判別部１４からトレイＮＯｂの指定を含む排出指示（再生指示）を受けたとき、システムコントローラ１５は予め、使用者識別情報を設定した者が使用者識別情報を音声入力したため照合部１３から一致信号を入力しているときは指示通りの動作制御を行うが、一致信号を入力していないときは内蔵メモリの管理領域にトレイＮＯｂとしてＣＤ−ＤＡが登録されているときは指示通りの動作制御を行い、誰でも再生、排出ができるようにする。ＣＤ−ＤＡが登録されていなければ指示を無視し、ディスクチェンジャー部４がディスク収納部２からトレイＮＯｂのディスク１を外部に排出する（ディスク再生メカ部３に取り出す）のを禁止する。これにより、一定年齢以下の者が勝手に鑑賞に適さない映像の記録された可能性の有るディスク１を再生したり、外部に取り出して他のディスク再生装置で鑑賞するのを防止できる。
【００３１】
また、使用者識別情報を設定していない者でも、ディスク１が映像の記録されたビデオＣＤ以外であれば、誰でも自由にディスク収納部２に挿入、排出、再生等を行えるようにしても良い。ビデオＣＤは図５に示す記録内容を有しており、トラックナンバ０１にビデオＣＤか否かを判別できる管理情報が記録されている。システムコントローラ１５の内蔵メモリ（図示せず）に図６（１）に示す如く、トレイＮＯ別にビデオＣＤか否かを管理する管理領域を設けておく。そして、音声認識部７の判別部１４からトレイＮＯｃの指定を含む挿入指示を受けたとき、システムコントローラ１５は照合部１４から一致信号入力が有るか無いかに関わらず、ディスクチェンジャー部４にディスク挿入口２１からトレイに乗せられたディスク１をディスク再生メカ部３まで挿入させる。
【００３２】
次に、ディスク再生メカ部３と信号処理回路５によりリードインのＴＯＣ情報を読み取らせる。そして、ＴＯＣのＰＯＩＮＴ  Ａ０のＰｓｅｃを解読する。これが“＄２０”であればビデオＣＤの可能性があるので、更に、トラックナンバー０１のビデオＣＤインフォメーションエリアのＩＮＦＯ．ＶＣＤファイルを読み取らせ、この中に、ディスクがビデオＣＤであることを示す情報があれば、今回の挿入指示を無視し、ディスクチェンジャー部４によりディスク挿入口２１に排出させ、一定年齢以下の者が鑑賞に適さない映像の記録された可能性の有るディスク１を勝手に挿入するのを防止する。予め、使用者識別情報を設定した者が使用者識別情報を音声入力したため照合部１３から一致信号を入力していたときは、図４の管理領域のトレイＮＯｃに「ビデオＣＤ」を登録したあと、ディスクチェンジャー部４によりディスク収納部２のトレイＮＯｃに収納させる。
若し、ビデオＣＤでなかった場合、図４の管理領域に「−」を登録したあとディスク収納部２に収納させる。
【００３３】
一方、音声認識部７の判別部１４からトレイＮＯｄの指定を含む排出指示（再生指示）を受けたとき、システムコントローラ１５は、予め、使用者識別情報を設定した者が使用者識別情報を音声入力したため照合部１３から一致信号を入力しているときは指示通りの動作制御を行うが、一致信号を入力していないときは内蔵メモリの管理領域にトレイＮＯｄとしてビデオＣＤが登録されていなければ指示通りの動作制御を行い、誰でも再生、排出ができるようにする。ビデオＣＤが登録されていれば指示を無視し、ディスクチェンジャー部４がディスク収納部２からトレイＮＯｄのディスク１を外部に排出する（ディスク再生メカ部３に取り出す）のを禁止する。これにより、一定年齢以下の者が鑑賞に適さない映像の記録された可能性のあるディスク１を再生したり、外部に取り出して他のディスク再生装置で鑑賞するのを防止できる。
【００３４】
また、ビデオＣＤのトラックナンバ０１のＩＮＦＯ．ＶＣＤファイルには年齢制限情報が記録されているので、これを読み取ることで年齢制限の有無が判る。そこで、ビデオＣＤでかつ年齢制限の有るもの以外は誰でも挿入、再生、排出等ができるようにしても良い。
このとき、システムコントローラ１５の内蔵メモリに図６（２）示す如く、トレイＮＯ別に、ビデオＣＤか否かと、ビデオＣＤの場合の年齢制限情報を管理する管理領域を設けておく。そして、音声認識部７の判別部１４からトレイＮＯｅの指定を含む挿入指示を受けたとき、システムコントローラ１５は照合部１４から一致信号入力が有るか無いかに関わらず、ディスクチェンジャー部４にディスク挿入口２１からトレイに乗せられたディスク１をディスク再生メカ部３まで挿入させる。次に、ディスク再生メカ部３と信号処理回路５によりリードインのＴＯＣ情報を読み取らせる。
【００３５】
ＰＯＩＮＴ  Ａ０のＰｓｅｃを解読してこれが“＄２０”であればビデオＣＤの可能性があるので、更に、トラックナンバー０１のビデオＣＤインフォメーションエリアのＩＮＦＯ．ＶＣＤファイルを読み取らせ、この中に、ディスクがビデオＣＤであるとを示す情報があり、かつ、年齢制限情報で一定年齢以下の鑑賞が制限されていれば、今回の挿入指示を無視し、ディスクチェンジャー部４によりディスク挿入口２１に排出させ、一定年齢以下の者が鑑賞に適さない映像の記録された可能性の有るディスク１を勝手に挿入するのを防止する。ビデオＣＤであるが年齢制限されていないとき、及び、予め、使用者識別情報を設定した者が使用者識別情報を音声入力したため照合部１３から一致信号を入力していたときは、図６（２）の管理領域のトレイＮＯｃにビデオＣＤであることと年齢制限情報を登録したあと、ディスクチェンジャー部４によりディスク収納部２のトレイＮＯｅに収納させる。
若し、ビデオＣＤでなかった場合、図６（２）の管理領域に「−」を登録したあとディスク収納部２に収納させる。
【００３６】
一方、音声認識部７の判別部１４からトレイＮＯｆの指定を含む排出指示（再生指示）を受けたとき、システムコントローラ１５は、予め、使用者識別情報を設定した者が使用者識別情報を音声入力したため照合部１３から一致信号を入力しているときは指示通りの動作制御を行うが、一致信号を入力していないときは内蔵メモリの管理領域にトレイＮＯｆとしてビデオＣＤが登録されていないか、ビデオＣＤであるが年齢制限がされていなければ指示通りの動作制御を行い、誰でも再生、排出ができるようにする。ビデオＣＤが登録されていて、年齢制限もあるときは指示を無視し、ディスクチェンジャー部４がディスク収納部２からトレイＮＯｆのディスク１を外部に排出する（ディスク再生メカ部３に取り出す）のを禁止する。これにより、一定年齢以下の者が鑑賞に適さない映像の記録されたディスク１を再生したり、外部に取り出して他のディスク再生装置で鑑賞するのを防止できる。
【００３７】
また、図１のディスク再生装置では、１つの登録キー８でｎ人が使用者識別情報を設定できるようにしたが、図７に示す如く、記憶部１１のｎ個の記憶領域に対応付けて蓋２３の中にｎ個の登録キー８１  〜８ｎ  を設け、一人ずつ異なる登録キー８ｉ  （ｉ＝１〜８）を押圧して使用者識別情報を設定を行うようにしても良い。この場合、或る登録キー８ｉ  が押圧されて使用者識別情報が音声入力されたとき、登録部１２は特徴パラメータを記憶部１１の第ｉ記憶領域に記憶させることになる。なお、図７に示す如く、登録キー８１  〜８ｎ  に対応して消去キー１８１  〜１８ｎ  を設け、消去キー１８ｉ  が押圧されたとき、登録部１２は記憶部１１の第ｉ記憶領域に記憶された使用者識別情報を消去するようにすれば、使用者識別情報の設定を任意にやり直すことができる。
【００３８】
図８は本発明の第一実施例に係るディスク再生装置の回路図であり、図１と同一の構成部分には同一の符号が付してある。
図１のディスク再生装置では使用者識別情報を設定した使用者はディスク収納部２のどの収納箇所に対しても区別なく任意の動作指示ができるようにしたが、第一実施例では使用者識別情報を設定した使用者間でどの収納箇所を使用できるか差を付けられるようにしてある。
【００３９】
２８は蓋２３の中に設けられた登録キー部であり、４つの登録キー８１  〜８４  により４人が別個に使用者識別情報を設定できるようになっている。登録部１２Ａは或る登録キー８ｉ  が押圧されて使用者識別情報が音声入力されたとき、特徴抽出部１０から入力した特徴パラメータを記憶部１１の第ｉ記憶領域に記憶させて登録設定する。３０は蓋２３の中に設けられたディップスイッチ部であり、トレイＮＯ１〜２０の各々につき、４つのディップスイッチ３０−１１  〜３０−１４  、・・・、３０−２０１  〜３０−２０４  が設けられている。添え字の１〜４は登録キー８１  〜８４  に対応している。ディップスイッチ部３０は使用者識別情報を設定したどの使用者がどのトレイＮＯに対して動作指示可能か設定するものである。
【００４０】
照合部１３Ａは使用時に音声入力があると、特徴抽出部１０から入力した特徴パラメータを記憶部１１に設定された使用者識別情報としての特徴パラメータと照合し、一致するものがあればその記憶領域の番号を使用者番号ｉとしてシステムコントローラ１５Ａに出力する。システムコントローラ１５Ａは、照合部１３Ａから使用者番号ｉを入力すると、ディップスイッチ３０−Ｇｉ  （Ｇ＝１〜２０）の内、ＯＮとなっているものに対応するトレイＮＯにつき判別部１４で判別された指示に応じた動作制御を行い、ディップスイッチ３０−Ｇｉ  の内、ＯＦＦとなっているものに対応するトレイＮＯにつき、動作指示を無視し、ディスクチェンジャー部４などの動作を禁止する（但し、或るトレイＮＯｇに対応するディップスイッチ３０−ｇ１  〜３０−ｇ４  が全てＯＦＦの場合、トレイＮＯｇを対象とする動作指示は有効とされる）。
その他の構成部分は図１と全く同様に構成されている。
【００４１】
次に、第一実施例の動作を説明する。父Ａ、母Ｂ、子供Ｃ、子供Ｄが使用者識別情報を設定するとき、登録キー８１  を押圧しながらＡが「おとうさん」と音声入力すると、特徴パラメータが記憶部１１の第１記憶領域に設定登録され、同様に、Ｂが登録キー８２  を押圧しながら「おかあさん」と音声入力すると特徴パラメータが第２記憶領域に設定登録され、Ｃが登録キー８３  を押圧しながら「たかお」と音声入力すると特徴パラメータが第３記憶領域に設定登録され、Ｄが登録キー８４  を押圧しながら「とおる」と音声入力すると特徴パラメータが第４記憶領域に設定登録される。
【００４２】
トレイＮＯ１につきＡ，Ｂ，Ｃ，Ｄのだれでも動作指示できるようにする場合、ディップスイッチ３０−１１  〜３０−１４  を全てＯＦＦとしておく。すると、Ａ〜Ｄは勿論、Ａ〜Ｄ以外のＥであっても「トレイ１」、「挿入」（または「再生」または「排出」）と音声入力すれば、判別部１４で判別された動作指示を入力したシステムコントローラ１５ＡはトレイＮＯ１のディップスイッチ３０−１１  〜３０−１４  が全てＯＦＦなので、指示に応じた動作制御を行い、ディスク挿入口２１のトレイに乗ったディスク１をディスク収納部２のトレイＮＯ１に収納させる（またはディスク収納部２のトレイＮＯ１のディスク１を再生させる、またはディスク収納部２のトレイＮＯ１のディスク１をディスク挿入口２１に排出させる）。よって、トレイＮＯ１を対象にして誰でも任意の動作を行わせることができる。
【００４３】
トレイＮＯ２につきＡだけ動作指示を許可させる場合、ディップスイッチ３０−２１  だけＯＮし、３０−２２  〜３０−２４  はＯＦＦとしておく。
Ａが「おとうさん」、「トレイ２」、「挿入」（または「再生」または「排出」）と音声入力すれば、照合部１３Ａから番号１が出力され、判別部１４から動作指示が出力される。システムコントローラ１５Ａはトレイ２のディップスイッチが３０−２１  がＯＮなので、指示に応じた動作制御を行う。よって、ＡはトレイＮＯ２を対象にして任意の動作を行わせることができる。一方、Ｂが「おかあさん」、「トレイ２」、「挿入」（または「再生」または「排出」）と音声入力すれば、照合部１３Ａから番号２が出力され、判別部１４から動作指示が出力される。システムコントローラ１５ＡはトレイＮＯ２のディップスイッチが３０−２２  がＯＦＦ、かつ、３０−２１  がＯＮなので、指示を無視し、ディスクチェンジャー部３などの動作を禁止する。そして、ＮＧ表示器１６を一定時間点滅させる。他のＢ〜Ｄ、Ｅが音声で動作指示を与えた場合も同様である。この結果、トレイＮＯ１をＡの専用としてディスク１を収納し、管理することができる。
【００４４】
トレイ３につき、年齢制限の有るディスク１を収納させるのでＡ〜Ｃの３人だけ動作指示ができ、Ｄと他の人は動作指示できないようにしたい場合、ディップスイッチ３０−３１  〜３０−３３  をＯＮし、３０−３４  はＯＦＦとしておく。
Ａ〜Ｃは使用者識別情報とともにトレイＮＯ３を対象とする動作指示を音声入力で行えば、システムコントローラ１５Ａは対応する動作制御を行うので、トレイＮＯ３を対象とするディスク１の挿入、再生、排出を自由に行える。一方、Ｄが「とおる」、「トレイ３」、「挿入」（または「再生」または「排出」）と音声入力すれば、照合部１３Ａから番号４が出力され、判別部１４から動作指示が出力される。但し、システムコントローラ１５ＡはトレイＮＯ３のディップスイッチ３０−３４  がＯＦＦ、そして３０−３１  、３０−３２  、３０−３３  がＯＮなので、指示を無視し、ディスクチェンジャー部４などの動作を禁止する。そして、ＮＧ表示器１６を一定時間点滅させる。他のＥが音声で動作指示を与えた場合も同様である。
【００４５】
この第一実施例によれば、使用者識別情報を設定した特定の者以外が４つのディップスイッチが全てＯＦＦとなっているトレイＮＯ以外を対象にした挿入、再生、排出を行うのを禁止でき、年齢制限の或る映像を含むディスク１を勝手に鑑賞したり、ディスク収納部２に勝手に収納させるのを防止できるほか、使用者識別情報を設定した特定の者であっても或るトレイＮＯの対応するディップスイッチをＯＦＦとすることで、当該トレイＮＯを対象とした挿入、再生、排出を行うのを禁止でき、一定年齢以下の子供が勝手に年齢制限の或る映像を鑑賞したり、ディスク収納部２に収納させるのを防止できる。そして、使用者識別情報を設定した特定の者であって、或るトレイＮＯの対応するディップスイッチがＯＮとされている場合だけ当該トレイＮＯを対象とした挿入、再生、排出を行えるので、使用者識別情報を設定した使用者間でどの収納箇所を使用できるか差を付けることかでき、親子間、夫婦間でプライバシーを完全に守ることができる。
なお、図８の実施例において、例えば、トレイＮＯ１５〜２０を誰でも自由に使用できるようにする場合、トレイＮＯ１５〜２０についてはディップスイッチを設けないようにし、システムコントローラ１５Ａはこれらについてディップスイッチが全てＯＦＦしているものと扱えば良い。
【００４６】
なお、図８の変形例として、図９に示す如く、トレイＮＯ１〜２０に対応して１つずつディップスイッチ３０−１〜３０−２０を設け、ディップスイッチ３０−ＬがＯＮのとき、トレイＮＯＬを対象としては、予め、使用者識別情報を設定してある者が使用者識別情報入力とともに動作指示をした場合だけシステムコントローラ１５Ａが指示に従い動作制御し、予め、使用者識別情報を設定してない者の動作指示は無視するようにし、ディップスイッチ３０−ＬがＯＦＦのとき、トレイＮＯＬを対象としては、使用者識別情報入力をしなくても誰でも自由に動作指示を行えば、システムコントローラ１５Ａが指示に従い動作制御するようにしても良い。
【００４７】
図１０は本発明の第二実施例に係るディスク再生装置の回路図であり、図８と同一の構成部分には同一の符号が付してある。
第二実施例ではトレイＮＯをグループ分けしたエリア単位で、使用者識別情報を設定した使用者間でどの収納エリアを使用できるか差を付けられるようにしてある。
ディスク収納部２Ｂは４つの収納エリアＰＡａ  〜ＰＡｄ  に分けられており、トレイＮＯ１〜５、６〜１０、１１〜１５、１６〜２０が各々、収納エリアＰＡａ  〜ＰＡｄ  に対応付けられている。
２８は蓋２３の中に設けられた登録キー部であり、４つの登録キー８１  〜８４  により４人が別個に使用者識別情報を設定できるようになっている。登録部１２Ａは或る登録キー８ｉ  が押圧されて使用者識別情報が音声入力されたとき、特徴抽出部１０から入力した特徴パラメータを記憶部１１の第ｉ記憶領域に記憶させて登録設定する。３１は蓋２３の中に設けられたディップスイッチ部であり、収納エリアＰＡａ  〜ＰＡｄ  の各々につき、４つのディップスイッチ３１−ａ１  〜３１−ａ４  、・・・、３１−ｄ１  〜３１−ｄ４  が設けられている。添え字の１〜４は登録キー８１  〜８４  に対応している。ディップスイッチ部３１は使用者識別情報を設定したどの使用者がどの収納エリアのトレイＮＯに対して動作指示可能か設定するものである。
【００４８】
照合部１３Ａは使用時に音声入力があると、特徴抽出部１０から入力した特徴パラメータを記憶部１１に設定された使用者識別情報としての特徴パラメータと照合し、一致するものがあればその記憶領域の番号を使用者番号ｉとしてシステムコントローラ１５Ｂに出力する。システムコントローラ１５Ｂは、照合部１３Ａから使用者番号ｉを入力すると、ディップスイッチ３１−Ｇｉ  （Ｇ＝ａ〜ｄ）の内、ＯＮとなっているものに対応する収納エリアのトレイＮＯにつき判別部１４で判別された指示に応じた動作制御を行い、ディップスイッチ３１−Ｇｉ  の内、ＯＦＦとなっているものに対応する収納エリアのトレイＮＯにつき、動作指示を無視し、ディスクチェンジャー部４などの動作を禁止する（但し、或る収納エリアＰＡｇ  に対応するディップスイッチ３１−ｇ１  〜３１−ｇ４  が全てＯＦＦの場合、収納エリアＰＡｇ  を対象とする動作指示は有効とされる）。
その他の構成部分は図８と全く同様に構成されている。
【００４９】
次に、第二実施例の動作を説明する。父Ａ、母Ｂ、子供Ｃ、子供Ｄが第一実施例と同じ使用者識別情報を音声入力すると、記憶部１１の第１記憶領域〜第４記憶領域に「おとうさん」、「おかあさん」、「たかお」、「とおる」が設定登録される。
トレイＮＯ１〜５の収納エリアＰＡａ  につきＡ，Ｂ，Ｃ，Ｄのだれでも動作指示できるようにする場合、ディップスイッチ３１−ａ１  〜３１−ａ４  を全てＯＦＦとしておく。すると、Ａ〜Ｄは勿論、Ａ〜Ｄ以外のＥであっても「トレイ１」、「挿入」（または「再生」または「排出」）と音声入力すれば、判別部１４で判別された動作指示を入力したシステムコントローラ１５ＡはトレイＮＯ１を含む収納エリアＰＡａ  のディップスイッチ３１−ａ１  〜３１−ｄ４  が全てＯＦＦなので、指示に応じた動作制御を行い、ディスク挿入口２１のトレイに乗ったディスク１をディスク収納部２ＢのトレイＮＯ１に収納させる（またはディスク収納部２ＢのトレイＮＯ１のディスク１を再生させる、またはディスク収納部２ＢのトレイＮＯ１のディスク１をディスク挿入口２１に排出させる）。トレイＮＯ２〜５についても同様である。よって、収納エリアＰＡａ  を対象にして誰でも任意の動作を行わせることができる。
【００５０】
収納エリアＰＡｂ  につきＡだけ動作指示を許可させる場合、ディップスイッチ３１−ｂ１  だけＯＮし、３１−ｂ２  〜３１−ｂ４  はＯＦＦとしておく。
Ａが「おとうさん」、「トレイ７」、「挿入」（または「再生」または「排出」）と音声入力すれば、照合部１３Ａから番号１が出力され、判別部１４から動作指示が出力される。システムコントローラ１５Ｂはトレイ７を含む収納エリアＰＡｂ  のディップスイッチが３１−ｂ１  がＯＮなので、指示に応じた動作制御を行う。よって、ＡはトレイＮＯ７を対象にして任意の動作を行わせることができる。一方、Ｂが「おかあさん」、「トレイ８」、「挿入」（または「再生」または「排出」）と音声入力すれば、照合部１３Ａから番号２が出力され、判別部１４から動作指示が出力される。システムコントローラ１５Ｂはトレイ８を含む収納エリアＰＡｂ  のディップスイッチが３１−ｂ２  がＯＦＦ、そして３１−ｂ１  がＯＮなので指示を無視し、ディスクチェンジャー部４などの動作を禁止する。そして、ＮＧ表示器１６を一定時間点滅させる。収納エリアＰＡｂ  につき他のＢ〜Ｄ、Ｅが音声で動作指示を与えた場合も同様である。この結果、収納エリアＰＡａ  のトレイＮＯ１〜５をＡの専用としてディスク１を収納し、管理することができる。
【００５１】
収納エリアＰＡｃ  につき、年齢制限の有るディスク１を収納させるのでＡ〜Ｃの３人だけ動作指示ができ、Ｄと他の人は動作指示できないようにしたい場合、ディップスイッチ３１−ｃ１  〜３１−ｃ３  をＯＮし、３１−ｃ４  はＯＦＦとしておく。
Ａ〜Ｃは使用者識別情報とともに収納エリアＰＡｃ  に含まれるトレイＮＯ１１〜１５を対象とする動作指示を音声入力で行えば、システムコントローラ１５Ａは対応する動作制御を行うので、収納エリアＰＡｃ  に含まれるトレイＮＯ１１〜１５を対象とするディスク１の挿入、再生、排出を自由に行える。一方、Ｄが「とおる」、「トレイ１２」、「挿入」（または「再生」または「排出」）と音声入力すれば、照合部１３Ａから番号４が出力され、判別部１４から動作指示が出力される。但し、システムコントローラ１５ＢはトレイＮＯ１２を含む収納エリアＰＡｃ  のディップスイッチ３１−ｃ４  がＯＦＦ、３１−ｃ１  、３１−ｃ２  、３１−ｃ３  がＯＮなので、指示を無視し、ディスクチェンジャー部４などの動作を禁止する。そして、ＮＧ表示器１６を一定時間点滅させる。他のＥが音声で動作指示を与えた場合も同様である。
【００５２】
この第二実施例によれば、使用者識別情報を設定した特定の者以外が４つのディップスイッチが全てＯＦＦとなっている収納エリアのトレイＮＯ以外を対象にした挿入、再生、排出を行うのを禁止でき、年齢制限の或る映像を含むディスク１を勝手に鑑賞したり、ディスク収納部２Ｂに勝手に収納させるのを防止できるほか、使用者識別情報を設定した特定の者であっても或る収納エリアに対応するディップスイッチをＯＦＦとすることで、当該収納エリアのトレイＮＯを対象とした挿入、再生、排出を行うのを禁止でき、一定年齢以下の子供が勝手に年齢制限の或る映像を鑑賞したり、ディスク収納部２Ｂに収納させるのを防止できる。そして、使用者識別情報を設定した特定の者であって、或る収納エリアに対応するディップスイッチがＯＮとされている場合だけ当該収納エリアのトレイＮＯを対象とした挿入、再生、排出を行えるので、使用者識別情報を設定した使用者間でどの収納エリアを使用できるか差を付けることかでき、親子間、夫婦間でプライバシーを完全に守ることができる。
なお、図１０の実施例において、例えば、収納エリアＰＡｄ  を誰でも自由に使用できるようにする場合、収納エリアＰＡｄ  についてはディップスイッチを設けないようにし、システムコントローラ１５Ｂはこの収納エリアＰＡｄ  についてディップスイッチが全てＯＦＦしているものと扱えば良い。
【００５３】
なお、上記した各実施例、変形例では、音声認識部を設け、音声入力により動作指示を与えるようにしたが、装置ケースにキー操作部を設け、キー操作で動作指示を与えるようにしても良く、更に、使用者識別情報の設定も、キーの多重押し等で行うようにしても良い。
【００５４】
【発明の効果】
本発明に係るディスク再生装置によれば、互いに区別された複数の収納箇所に各々、ディスクを収納する収納手段と、挿入指示、排出指示に従い収納手段の所望の収納箇所に収納するためのディスクを装置内に挿入したり、収納手段の所望の収納箇所に収納されていたディスクを装置外に排出する挿入・排出手段を備え、再生指示に従い収納手段から再生が指示されたディスクをディスクチェンジャー部がディスク再生メカ部に取り出し、該ディスク再生メカ部と信号処理部によりディスクを再生するようにしたディスク再生装置において、予め、１又は複数の使用者の識別情報と使用者の用いる収納手段の収納箇所を対応付けて設定しておき、使用時に入力される使用者識別情報と収納手段の収納箇所を、予め設定された内容と照合して一致するか判定し、一致すると判定されていない場合、予め使用者識別情報が対応付けて設定されている収納手段の収納箇所を対象とした挿入・排出手段による挿入動作及び排出動作と、設定手段で使用者識別情報が対応付けて設定されている収納手段の収納箇所のディスクの再生を禁止する。これにより、収納手段の任意の一部または全部の収納箇所につき、特定の使用者だけがディスクを収納して判り易く管理することができ、また、一定以上の年齢でないと適さない映像が記録されたディスクを勝手に鑑賞されないようにしたり、行方が判らなくなったりしないようにできる。
【００５６】
本発明に係る他のディスク再生装置によれば、互いに区別された複数の収納箇所にディスクを収納し、前記複数の収納箇所は１又は複数ずつ収納エリアにグループ分けされた収納手段と、挿入指示、排出指示に従い収納手段の所望の収納エリアに収納するためのディスクを装置内に挿入したり、収納手段の所望の収納エリアに収納されていたディスクを装置外に排出する排出手段を備え、再生指示に従い収納手段から再生が指示されたディスクをディスクチェンジャー部がディスク再生メカ部に取り出し、該ディスク再生メカ部と信号処理部によりディスクを再生するようにしたディスク再生装置において、予め、１又は複数の使用者の識別情報と使用者の用いる収納手段の収納エリアを対応付けて設定しておき、使用時に入力される使用者識別情報と収納手段の収納箇所を、予め設定された内容と照合して一致するか判定し、一致すると判定されていない場合、予め使用者識別情報が対応付けて設定されている収納手段の収納エリアを対象とした挿入・排出手段による挿入動作及び排出動作と、設定手段で使用者識別情報が対応付けて設定されている収納手段の収納エリアのディスクの再生を禁止する。これにより、収納手段の任意の一部または全部の収納エリアにつき、特定の使用者だけがディスクを収納して判り易く管理することができ、また、一定以上の年齢でないと適さない映像が記録されたディスクを勝手に鑑賞されないようにしたり、行方が判らなくなったりしないようにできる。
【図面の簡単な説明】
【図１】ディスク再生装置の回路図である。
【図２】ディスク再生装置の外観図である。
【図３】音声認識部の記憶部に設定された使用者識別情報の説明図である。
【図４】図１のディスク再生装置の変形例の説明図である。
【図５】ビデオＣＤの記録内容の説明図である。
【図６】図１のディスク再生装置の他の変形例の説明図である。
【図７】図１のディスク再生装置の更に他の変形例の説明図である。
【図８】本発明の第一実施例に係るディスク再生装置の回路図である。
【図９】第一実施例の変形例の説明図である。
【図１０】本発明の第二実施例に係るディスク再生装置の回路図である。
【符号の説明】
１  ディスク                      ２、２Ｂ  ディスク収納部
３  ディスク再生メカ部            ４  ディスクチェンジャー部
５  信号処理回路                  ６  マイク
７  音声認識部
８、８１  、８２  、８３  、８４  、・・・８ｎ    登録キー
１０  特徴抽出部                  １１  記憶部
１２、１２Ａ  登録部              １３、１３Ａ  照合部
１４  判別部
１５、１５Ａ、１５Ｂ  システムコントローラ
２８  登録キー部                  ３０、３１  ディップスイッチ部
ＰＡａ  、ＰＡｂ  、ＰＡｃ  、ＰＡｄ    収納エリア
【図１】
0003626140.tif 000002
【図２】
0003626140.tif 000003
【図３】
0003626140.tif 000004
【図４】
0003626140.tif 000005
【図５】
0003626140.tif 000006
【図６】
0003626140.tif 000007
【図７】
0003626140.tif 000008
【図８】
0003626140.tif 000009
【図９】
0003626140.tif 000010
【図１０】
0003626140.tif 000011